(57)【特許請求の範囲】
【請求項１】
円筒状の袋壁体と、この袋壁体の底面と、前記袋壁体の上部開口を開閉可能な蓋とを有し、前記袋壁体の外周には複数本の弾性材からなるロッドを垂直方向に取り付け、前記底面近くおよび前記開口近くの袋壁体の外周にはそれぞれ弾性を有する環状のフープを取り付け、このフープは、弾性材からなる棒材を蛇腹状のフレキシブルホースに挿通し、前記フレキシブルホースをリング状にするためその両端には連結部を設けたものであることを特徴とする自立式穀類収納袋。
【請求項２】
円筒状の袋壁体と、この袋壁体の底面と、前記袋壁体の上部開口を開閉可能な蓋とを有し、前記袋壁体の外周には複数本の弾性材からなるロッドを垂直方向に取り付け、前記底面近くおよび前記開口近くの袋壁体の外周にはそれぞれ弾性を有する環状のフープを取り付け、このフープは、弾性材からなる棒材を発泡合成樹脂からなるホースで被覆し、このホースの両端には連結部を設けたものであることを特徴とする自立式穀類収納袋。
【請求項３】
棒材はグラスファイバーロッドである請求項１または請求項２記載の自立式穀類収納袋。
【請求項４】
フープの取り付けは、袋壁体の外周に沿って円周方向に断続的にフープ通しを縫合し、前記フープ通しに前記フープを挿通した請求項１から請求項３のいずれか１項記載の自立式穀類収納袋。
【請求項５】
底面には穀類の排出口を有する請求項１から請求項４のいずれか１項記載の自立式穀類収納袋。
【発明の詳細な説明】
【０００１】
【発明の属する技術分野】
本発明は、別途補助具を用いる必要なく自立できる穀類収納袋に係り、従来よりもさらに取り扱い等の安全な構造に関するものである。
【０００２】
【発明が解決しようとする課題】
別途補助具を用いることなく自立できる穀類収納袋に関しては、出願人は各種開示している。基本的な構造としては、たとえば実開平３−３８８００号に示すように、穀類収納袋の側周面の複数箇所に垂直方向に高弾性棒材を設け、上部開口縁および底部の内周にも弾性材を設けて開口および底面を確保するようにしている。
【０００３】
ところで、この袋の目的は収穫した米や麦などの穀類を搬送し、保管することにあるが、内容物が食品あるいは食品原料なので人体に危害を及ぼす構造は回避しなければならない。しかし従来例の構造であれば袋内部に設けられる弾性材としての素材選択が必要となる。例えば、弾性材に金属パイプを用いた場合には硬すぎて組み立て作業が困難であるし、グラスファイバー製のパイプを用いた場合には作業中に何らかの衝突によってパイプが破壊される可能性がある。この場合、グラスファイバーであれば破壊片は尖った形状になるので、穀類中に混ざってしまえば人体の危険に直結することになる。反対に穀類に混ざらないようにすればグラスファイバー製の弾性材としてのパイプは外部に露出するので容易に破壊されてしまうという問題が発生する。
【０００４】
本発明では従来例の上記問題点を解消することを課題としたもので、グラスファイバー等の素材の軽量かつ高弾性であるという利点を活用しながら、内容物である穀物に害を与えず、さらに取り扱いに優れた自立式の穀類収納袋を開示することを目的とする。
【０００５】
【課題を解決するための手段】
本発明の穀類収納袋では、上述した目的を達成するために、円筒状の袋壁体と、この袋壁体の底面と、前記袋壁体の上部開口を開閉可能な蓋とを有する構成において、前記袋壁体の外周には複数本の弾性材からなるロッドを垂直方向に取り付けた。そして、前記底面近くおよび前記開口近くの袋壁体の外周にはそれぞれ弾性を有する環状のフープを取り付けるという手段を採用することとした。なお、フープの具体的構成は後述する。弾性材からなるロッドを垂直方向に取り付けることによって、袋壁体はロッドに支えられて自立することになる。また、開口部に設けられるフープは環状を維持するので、理想的な円形の開口を確保する機能を有している。さらに、底面近くに取り付けられたフープは円形の底を確保することになり、収納袋を自立させた場合には広い底面積によって安定した状態を維持することになる。また、ロッドおよび各フープは収納袋の外側に取り付けられているので、たとえ破損した場合でも穀類に破片が混入することはない。
【０００６】
一方、より具体的なフープの取り付け手段としては、袋壁体の外周に沿って円周方向に断続的にフープ通しを縫合し、前記フープ通しに前記フープを挿通するという構成を採用した。このフープ通しにフープを挿通することによって、フープは収納袋の壁体と一体化するので、フープの弾性およびフレーム機能を有効に得ることができる。
【０００７】
さらに、フープのより具体的な手段としては、弾性材からなる棒材を蛇腹状のフレキシブルホースに挿通し、前記フレキシブルホースをリング状にするためその両端には連結部を設けるという構成を採用した。この構成では棒材がフレームとして機能する一方、フレキシブルホースが棒材を保護し、外部からの衝撃をきわめて有効に緩和する。特に、請求項３に示したグラスファイバーを棒材として使用する場合には、衝撃によって破損しやすいグラスファイバーを有効に保護する。また、連結部によって簡単にリング状のフープを構成することになる。
【０００８】
フープの別の手段としては、弾性材からなる棒材を発泡合成樹脂からなるホースで被覆し、このホースの両端には連結部を設けるという構成を選択的に採用した。発泡合成樹脂はフレキシブルホースと同様に、外部からの衝撃を緩和する機能を有する。
【０００９】
棒材のより具体的な素材としては、パイプ状あるいは棒材として加工が容易であるグラスファイバーを採用した。また、穀類を取り出しやすくするために、底面には穀類の排出口を設けるという手段も用いた。
【００１０】
【発明の実施の形態】
以下、本発明の好ましい実施形態を、添付した図面に従って説明する。図１は本発明の一実施形態を示す収納袋の斜視図であって、１は布製の円筒状の袋壁体、２は袋壁体１の底面であって、穀類の排出口３を備えている。排出口３は通常は口絞り用の紐４を絞って閉じられることによって、収納袋としての底部を構成している。この構成は従来から公知のものを採用することで足りる。５は穀類投入口であり、ファスナー６などによって蓋７を閉蓋できるようにしている。８は適宜取り付けられる吊り上げ用の一対のロープである。
【００１１】
上記構成によって穀類収納袋を構成するが、これを空袋時でも自立させることができる構成を次に説明する。１０はグラスファイバーなどの弾性材で構成された自立用ロッドであり、袋壁体１の外周に沿って複数本が取り付けられる。その取り付けに際しては、自立用ロッド１０を底面側であって袋壁体の外周に縫合された有底支持袋１１に挿入し、ロッド１０を幾分撓ませながら開口側であって袋壁体の外周に縫合した有頂支持袋１２に挿通する。なお、自立用ロッド１０がほぼ垂直に収まるように有底支持袋１１と有頂支持袋１２の縫合位置が決定されなければならない。ところで、有頂支持袋１２の構造は、単に上部が閉塞した筒状の袋であってもよいが、図２のように布片を中心で半割状にして、その中央を縦方向に縫合し、一方側の頂部１３を横方向に縫合して有頂部を設け、ここにロッド１０の頭部を挿通させた後にもう一方側のフラップ１４を被せ、この状態で予め設けられている紐１５でしばるようにすることもある。さらに、有頂支持袋１２の別の実施形態として、その中央縦方向に２分割し、これをファスナーで開閉できるようにすることもある。必要なことは、自立用ロッド１０が有底支持袋１１と有頂支持袋１２の間にある程度の撓み、即ち反発力を付与しながら確実に支持することができるものであって、作業性に優れた構造を有することであり、具体的な構造は開示されたものに限定されるわけではない。
【００１２】
続いて、図１において２０は開口５を維持するためにその周囲に取り付けられた環状の弾性フープであって、袋壁体１に取り付けるために、袋壁体１の開口５周囲には断続的にフープ２０を挿通するためのフープ通し２１が縫合されている。そして、フープ通し２１にフープを挿通することによって開口５が大きく開いた状態で確保され、容易に穀類を投入することができるようになる。２２は同様にして底面２を常時円形に維持するために袋壁体１の底面２に近い位置に取り付けられた環状の弾性フープであって、袋壁体１の底面２の周囲には断続的にフープ２２を挿通するためのフープ通し２３が縫合されている。この構成は実質的には開口側と同一とすることで足りるものである。このように構成することによって、本実施形態の穀類収納袋は複数本の自立用ロッド１０が袋壁体１の上下方向を確保し、フープ２０が開口５を広く確保し、フープ２２が底面を広い円形に確保することになり、安定して自立することになる。
【００１３】
次に、図３はフープ２０および２２のより具体的な構成であり、３０は弾性材としてのグラスファイバー棒材をリング状に撓めた環状弾性材、３１は環状弾性材３０の周囲を保護するための蛇腹状のフレキシブルホース、３２ａ・３２ｂはフレキシブルホース３１のそれぞれ端部を嵌合してリング状を維持するための一対の連結部である。この構成は実質的には簡易なものであり、両端部に連結部３２ａ・３２ｂを有するフレキシブルホース３１の内部に環状弾性材３０を挿通することによって完成される。そして、このフープ２０・２２を連結部を嵌合しない直線状の状態でそれぞれ穀類収納袋の開口側および底面側のフープ通し２１および２３に挿通し、最後に連結部３２ａ・３２ｂを確実に組み合わせるだけで足りるものである。なお、連結部の構成は図３に示した実施形態に限定されるものではなく、フレキシブルホースの両端部を確実に組み合わせ、容易に外れない構成であれば他の形態も含むものである。
【００１４】
上記実施形態では、フープの構成としてフレキシブルホース３１中に環状弾性材３０を挿通したものを開示したが、本発明の目的を達成するためのフープとしては環状弾性材３０が外部からの衝撃によって容易に破損しないことを充足すればよい。従って、例えば別の実施形態としてフレキシブルホース３１に代えて発泡ウレタンなどの発泡材からなるホースを用いたりすることを排除するものではない。なお、その構成においても両端部を連結してリング状とするための連結部が必要であることはいうまでもない。
【００１５】
【発明の効果】
本発明では、自立式穀類収納袋として従来の構造を基本的に採用しながら、自立に供するロッドや開口部および底面を確保するためのフープを袋の外部に取り付けるようにしたので、穀類の投入作業時やその後の運搬および保管時において外部から大きい衝撃が加わって自立構造に寄与するロッドやフープが破損したとしても、穀類中に破片が混ざることがない。従って、内容物の安全を確保することができる構成となった。
【００１６】
また、フープに関しては、底面の周囲および開口の周囲という外部に衝突しやすい位置に設けられるが、弾性材をフレキシブルホースによって保護しているので、容易に弾性材が破損することがない。従って、強度的にも強い構成を提供することができるようになった。
【図面の簡単な説明】
【図１】本発明の自立式穀類収納袋の一実施形態を示す斜視図
【図２】ロッドを確保するための有頂支持部の一例を示す斜視図
【図３】フープの一例を示す要部斜視図
【符号の説明】
１  袋壁体
２  底面
３  排出口
４  口絞り用の紐
５  穀類投入口
６  ファスナー
７  蓋
８  吊り上げ用ロープ
１０  自立用ロッド
１１・１２  有底支持袋
１３  頂部
１４  フラップ
１５  紐
２０・２２  弾性フープ
２１・２３  フープ通し
３０  環状弾性材
３１  フレキシブルホース
３２ａ・３２ｂ  連結部
【図１】
0003775728.tif 000002
【図２】
0003775728.tif 000003
【図３】
0003775728.tif 000004